(57)【特許請求の範囲】
【請求項１】
画面明るさ度合いを調節する方法であって、
色温度を調節する前の第２の画面明るさ度合いを取得する工程と、
画面の色温度を調節することによってフィルタリングで除かれた青色光の比率と、前記色温度を調節した後の第１の画面明るさ度合いとを取得する工程と、
前記第２の画面明るさ度合いと前記第１の画面明るさ度合いとの画面明るさ度合い差を計算する工程と、
前記第２の画面明るさ度合いに対する前記画面明るさ度合い差の割合を計算する工程と、
青色光の前記比率と、前記割合との積を計算して画面コントラストを取得する工程と、
前記画面コントラストに基づいて前記画面明るさ度合いを調節する工程と
を備える方法。
【請求項２】
前記第２の画面明るさ度合いが予め設定した最小画面明るさ度合いよりも小さいか否かを判定する工程と、
前記第２の画面明るさ度合いが前記予め設定した最小画面明るさ度合いよりも小さいときに前記画面の前記色温度を調節することを禁止する工程と
をさらに備える請求項１に記載の方法。
【請求項３】
前記色温度を調節した後の前記画面コントラストを青色光の前記比率および前記第１の画面明るさ度合いに基づいて決定する工程は、
前記色温度を調節した後の前記画面の色温度を青色光の前記比率に基づいて取得する工程と、
予め記憶したコントラストデータベースに対して照会を行なって、前記画面の前記色温度および前記第１の画面明るさ度合いに対応する画面コントラストを取得する工程と
を備える、請求項１に記載の方法。
【請求項４】
前記画面の前記色温度を調節することによってフィルタリングで除かれた青色光の前記比率を取得する工程は、
前記青色光をフィルタリングで除いた後の前記画面の前記色温度を取得する工程と、
色温度と青色光の割合との予め記憶した対応づけについて前記取得された色温度に基づいて照会を行なって、前記画面の前記色温度を調節することによってフィルタリングで除かれた青色光の前記比率を取得する工程と
を備える、請求項１から３のいずれか一項に記載の方法。
【請求項５】
前記画面の前記色温度を調節することによってフィルタリングで除かれた青色光の前記比率を取得する工程は、
色温度調節スライダを設ける工程と、
前記画面の前記色温度を調節した後のスライダの現在の位置を取得する工程と、
前記スライダの前記現在の位置および前記スライダの長さに基づいて、前記画面の前記色温度を調節することによってフィルタリングで除かれた青色光の前記比率を取得する工程と
を備える、請求項１から３のいずれか一項に記載の方法。
【請求項６】
前記画面の前記色温度を調節することによってフィルタリングで除かれた青色光の前記比率を取得する工程は、
前記画面の前記色温度を調節した後の前記青色光の成分を取得する工程と、
前記青色光の前記成分に基づいて、前記画面の前記色温度を調節することによってフィルタリングで除かれた青色光の前記比率を取得する工程と
を備える、請求項１から３のいずれか一項に記載の方法。
【請求項７】
画面明るさ度合いを調節する装置であって、
色温度を調節する前の第２の画面明るさ度合いと、画面の色温度を調節することによってフィルタリングで除かれた青色光の比率と、前記色温度を調節した後の第１の画面明るさ度合いとを取得するように構成されている取得モジュールと、
前記第２の画面明るさ度合いと前記第１の画面明るさ度合いとの画面明るさ度合い差を計算し、前記第２の画面明るさ度合いに対する前記画面明るさ度合い差の割合を計算し、青色光の前記比率と、前記割合との積を計算して画面コントラストを取得するように構成されている決定モジュールと、
前記画面コントラストに基づいて前記画面明るさ度合いを調節するように構成されている調節モジュールと
を備える装置。
【請求項８】
前記装置は、
前記第２の画面明るさ度合いが予め設定した最小画面明るさ度合いよりも小さいか否かを判定するように構成されている判定モジュールと、
前記第２の画面明るさ度合いが前記予め設定した最小画面明るさ度合いよりも小さいときに前記画面の前記色温度を調節することを禁止するように構成されている処理モジュールと
をさらに備える、請求項７に記載の装置。
【請求項９】
前記決定モジュールは、
前記色温度を調節した後の前記画面の色温度を青色光の前記比率に基づいて取得する動作と、
予め記憶したコントラストデータベースに対して照会を行なって、前記画面の前記色温度および前記第１の画面明るさ度合いに対応する画面コントラストを取得する動作とによって、前記色温度を調節した後の前記画面コントラストを青色光の前記比率および前記第１の画面明るさ度合いに基づいて決定するように構成されている、請求項７に記載の装置。
【請求項１０】
前記取得モジュールは、
前記青色光をフィルタリングで除いた後の前記画面の前記色温度を取得する動作、および色温度と青色光の割合との予め記憶した対応づけについて前記取得された色温度に基づいて照会を行なって、前記画面の前記色温度を調節することによってフィルタリングで除かれた青色光の前記比率を取得する動作、
または、
色温度調節スライダを設ける動作、前記画面の前記色温度を調節した後のスライダの現在の位置を取得する動作、ならびに前記スライダの前記現在の位置および前記スライダの長さに基づいて、前記画面の前記色温度を調節することによってフィルタリングで除かれた青色光の前記比率を取得する動作、
または、
前記画面の前記色温度を調節した後の前記青色光の成分を取得する動作、および前記青色光の前記成分に基づいて、前記画面の前記色温度を調節することによってフィルタリングで除かれた青色光の前記比率を取得する動作
によって、前記画面の前記色温度を調節することによってフィルタリングで除かれた青色光の前記比率と、前記色温度を調節した後の前記第１の画面明るさ度合いとを取得するように構成されている、請求項７から９のいずれか一項に記載の装置。
【請求項１１】
それ自体に記憶されるコンピュータプログラムを有するコンピュータ可読記憶媒体であって、前記コンピュータプログラムがプロセッサによって実行されるとき、請求項１から６のいずれか一項に記載の、画面明るさ度合いを調節する方法が実施される、コンピュータ可読記憶媒体。
【発明の詳細な説明】
【技術分野】
【０００１】
本開示は画面表示技術の分野に関し、特に、画面明るさ度合いを調節する方法、画面明るさ度合いを調節する装置、端末装置および記憶媒体に関する。
【背景技術】
【０００２】
現在、端末装置の画面は多くの場合にＲＧＢ（赤、緑、青）の３色を重ねることによって異なる色を表示する。Ｂは高エネルギの短波青色光を表わす。青色光が過多である場合、眼科疾患、黄斑変性などを引き起こす。したがって、多くの製造者は、ユーザの眼を保護するのに青色光の一部をフィルタリングで除く方法を用いている。
【０００３】
しかし、画面明るさ度合い（ｓｃｒｅｅｎ  ｌｕｍｉｎａｎｃｅ）は所定の割合（ｒａｔｉｏ）のＲＧＢによって形成される。色温度が調節されるときには青色光の一部がフィルタリングで除かれるので、青色光が減少することで、必然的に明るさ度合いが低下する。青色光が過剰にフィルタリングで除かれる場合、明るさ度合いはきわめて低くなる。したがって、ユーザは画面を鮮明に見ることができず、これにより、ユーザが正常に利用することが妨げられる。
【発明の概要】
【発明が解決しようとする課題】
【０００４】
本開示の実施の形態では、画面明るさ度合いを調節する方法を提供する。
【課題を解決するための手段】
【０００５】
方法は、画面の色温度を調節することによってフィルタリングで除かれた青色光の比率と、色温度を調節した後の第１の画面明るさ度合いとを取得する工程と、色温度を調節した後の画面コントラストを青色光の比率および第１の画面明るさ度合いに基づいて決定する工程と、画面コントラストに基づいて画面明るさ度合いを調節する工程とを含む。
【０００６】
本開示の１つ以上の実施の形態では、方法は、画面の色温度を調節することによってフィルタリングで除かれた青色光の比率を取得する前に、色温度を調節する前の第２の画面明るさ度合いを取得する工程と、第２の画面明るさ度合いが予め設定した最小画面明るさ度合いよりも小さいか否かを判定する工程と、第２の画面明るさ度合いが予め設定した最小画面明るさ度合いよりも小さいときに画面の色温度を調節することを禁止する工程とをさらに含む。
【０００７】
本開示の１つ以上の実施の形態では、色温度を調節した後の画面コントラストを青色光の比率および第１の画面明るさ度合いに基づいて決定する工程は、予め設定したアルゴリズムの計算を青色光の比率および第１の画面明るさ度合いに基づいて行なって、色温度を調節した後の画面コントラストを取得する工程を含む。
【０００８】
本開示の１つ以上の実施の形態では、予め設定したアルゴリズムの計算を青色光の比率および第１の画面明るさ度合いに基づいて行なって、色温度を調節した後の画面コントラストを取得する工程は、第２の画面明るさ度合いと第１の画面明るさ度合いとの画面明るさ度合い差を計算する工程と、第２の画面明るさ度合いに対する画面明るさ度合い差の割合を計算する工程と、青色光の比率と、画面コントラストを取得するための割合との積を計算する工程とを含む。
【０００９】
本開示の１つ以上の実施の形態では、色温度を調節した後の画面コントラストを青色光の比率および第１の画面明るさ度合いに基づいて決定する工程は、色温度を調節した後の画面の色温度を青色光の比率に基づいて取得する工程と、予め記憶したコントラストデータベースに対して照会を行なって、画面の色温度および第１の画面明るさ度合いに対応する画面コントラストを取得する工程とを含む。
【００１０】
本開示の１つ以上の実施の形態では、画面の色温度を調節することによってフィルタリングで除かれた青色光の比率を取得する工程は、青色光をフィルタリングで除いた後の画面の色温度を取得する工程と、色温度と青色光の割合との予め記憶した対応づけについて、取得された色温度に基づいて照会を行なって、画面の色温度を調節することによってフィルタリングで除かれた青色光の比率を取得する工程とを含む。
【００１１】
本開示の１つ以上の実施の形態では、画面の色温度を調節することによってフィルタリングで除かれた青色光の比率を取得する工程は、色温度調節スライダを設ける工程と、画面の色温度を調節した後のスライダの現在の位置を取得する工程と、スライダの現在の位置およびスライダの長さに基づいて、画面の色温度を調節することによってフィルタリングで除かれた青色光の比率を取得する工程とを含む。
【００１２】
本開示の１つ以上の実施の形態では、画面の色温度を調節することによってフィルタリングで除かれた青色光の比率を取得する工程は、画面の色温度を調節した後の青色光の成分を取得する工程と、青色光の成分に基づいて、画面の色温度を調節することによってフィルタリングで除かれた青色光の比率を取得する工程とを含む。
【００１３】
本開示の実施の形態では、画面明るさ度合いを調節する装置を提供する。装置は、画面の色温度を調節することによってフィルタリングで除かれた青色光の比率と、色温度を調節した後の第１の画面明るさ度合いとを取得するように構成されている取得モジュールと、色温度を調節した後の画面コントラストを青色光の比率および第１の画面明るさ度合いに基づいて決定するように構成されている決定モジュールと、画面コントラストに基づいて画面明るさ度合いを調節するように構成されている調節モジュールと含む。
【００１４】
本開示の１つ以上の実施の形態では、取得モジュールは、画面の色温度を調節することによってフィルタリングで除かれた青色光の比率を取得する前に、色温度を調節する前の第２の画面明るさ度合いを取得するようにさらに構成されている。装置は、第２の画面明るさ度合いが予め設定した最小画面明るさ度合いよりも小さいか否かを判定するように構成されている判定モジュールと、第２の画面明るさ度合いが予め設定した最小画面明るさ度合いよりも小さいときに画面の色温度を調節することを禁止するように構成されている処理モジュールとをさらに含む。
【００１５】
本開示の１つ以上の実施の形態では、決定モジュールは、予め設定したアルゴリズムの計算を青色光の比率および第１の画面明るさ度合いに基づいて行なって、色温度を調節した後の画面コントラストを取得するようにさらに構成されている。
【００１６】
本開示の１つ以上の実施の形態では、決定モジュールは、第２の画面明るさ度合いと第１の画面明るさ度合いとの画面明るさ度合い差を計算する動作と、第２の画面明るさ度合いに対する画面明るさ度合い差の割合を計算する動作と、青色光の比率と、画面コントラストを取得するための割合との積を計算する動作とによって、予め設定したアルゴリズムの計算を青色光の比率および第１の画面明るさ度合いに基づいて行なって、色温度を調節した後の画面コントラストを取得するように構成されている。
【００１７】
本開示の１つ以上の実施の形態では、決定モジュールは、色温度を調節した後の画面の色温度を青色光の比率に基づいて取得する動作と、予め記憶したコントラストデータベースに対して照会を行なって、画面の色温度および第１の画面明るさ度合いに対応する画面コントラストを取得する動作とによって、色温度を調節した後の画面コントラストを青色光の比率および第１の画面明るさ度合いに基づいて決定するように構成されている。
【００１８】
本開示の１つ以上の実施の形態では、取得モジュールは、青色光をフィルタリングで除いた後の画面の色温度を取得する動作、および色温度と青色光の割合との予め記憶した対応づけについて、取得された色温度に基づいて照会を行なって、画面の色温度を調節することによってフィルタリングで除かれた青色光の比率を取得する動作によって、画面の色温度を調節することによってフィルタリングで除かれた青色光の比率と、色温度を調節した後の第１の画面明るさ度合いとを取得するように構成されている。
【００１９】
本開示の１つ以上の実施の形態では、取得モジュールは、色温度調節スライダを設ける動作、画面の色温度を調節した後のスライダの現在の位置を取得する動作、ならびにスライダの現在の位置およびスライダの長さに基づいて、画面の色温度を調節することによってフィルタリングで除かれた青色光の比率を取得する動作によって、画面の色温度を調節することによってフィルタリングで除かれた青色光の比率と、色温度を調節した後の第１の画面明るさ度合いとを取得するように構成されている。
【００２０】
本開示の１つ以上の実施の形態では、取得モジュールは、画面の色温度を調節した後の青色光の成分を取得する動作、および青色光の成分に基づいて、画面の色温度を調節することによってフィルタリングで除かれた青色光の比率を取得する動作によって、画面の色温度を調節することによってフィルタリングで除かれた青色光の比率と、色温度を調節した後の第１の画面明るさ度合いとを取得するように構成されている。
【００２１】
本開示の実施の形態では端末装置を提供する。端末装置は、メモリと、プロセッサと、メモリに記憶されてプロセッサによって実行可能なコンピュータプログラムとを含む。プロセッサは、コンピュータプログラムを実行して、画面明るさ度合いを調節する上記の方法を実施するように構成されている。
【００２２】
本開示の実施の形態では、それ自体に記憶されるコンピュータプログラムを有するコンピュータ可読記憶媒体を提供する。コンピュータプログラムがプロセッサで実行されるとき、画面明るさ度合いを調節する上記の方法が実施される。
【００２３】
本開示の実施の形態のさらなる態様および利点が以下の説明中で部分的に示されたり、以下の説明から部分的に明らかになったり、本開示の実施の形態の実施から知られたりする。
【００２４】
本開示の実施の形態の上記の態様および利点ならびに／またはさらなる態様および利点が、下記図面を参照してなされている以下の説明から明らかになり、より容易に理解されるようになる。
【図面の簡単な説明】
【００２５】
【図１】本開示の一実施の形態に係る、画面明るさ度合いを調節する方法を示すフローチャートである。
【図２】本開示の一実施の形態に係る、画面の色温度を調節する状況を示す概略図である。
【図３（ａ）】関連技術に係る、色温度を調節した後の画面の表示内容を示す概略図である。
【図３（ｂ）】本開示の一実施の形態に係る、色温度を調節した後の画面の表示内容を示す概略図である。
【図４】本開示の別の実施の形態に係る、画面明るさ度合いを調節する方法を示すフローチャートである。
【図５】本開示の別の実施の形態に係る、画面明るさ度合いを調節する方法を示すフローチャートである。
【図６】本開示の一実施の形態に係る、画面明るさ度合いを調節する装置を示すブロック図である。
【図７】本開示の別の実施の形態に係る、画面明るさ度合いを調節する装置を示すブロック図である。
【図８】本開示の一実施の形態に係る端末装置を示すブロック図である。
【図９】本開示の一実施の形態に係る端末装置の内部構成の概略図である。
【発明を実施するための形態】
【００２６】
本開示の実施の形態を詳細に説明し、実施の形態の例を図面に示す。同じ要素または類似の要素と、同じ機能または類似の機能を有する要素とを説明全体にわたって同様の参照番号によって示す。図面を参照してここで説明されている実施の形態は説明例であって、本開示を説明する役割を果たし、本開示を限定すると解釈されない。
【００２７】
以下、本開示の実施の形態に係る、画面明るさ度合いおよびデバイスを調節する方法および装置を、図面を参照して説明する。
【００２８】
本開示は画面明るさ度合いを調節する方法に関する。画面明るさ度合いを調節する方法は、画面の色温度を調節することによってフィルタリングで除かれた青色光の比率（ｐｒｏｐｏｒｔｉｏｎ）と、色温度を調節した後の第１の画面明るさ度合いとを取得する工程と、色温度を調節した後の画面コントラストを青色光の比率および第１の画面明るさ度合いに基づいて決定する工程と、画面コントラストに基づいて画面明るさ度合いを調節する工程とを含む。
【００２９】
本開示は画面明るさ度合いを調節する装置に関する。画面明るさ度合いを調節する装置は取得モジュール、決定モジュールおよび調節モジュールを含む。取得モジュールは、画面の色温度を調節することによってフィルタリングで除かれた青色光の比率と、色温度を調節した後の第１の画面明るさ度合いとを取得するように構成されている。決定モジュールは、色温度を調節した後の画面コントラストを青色光の比率および第１の画面明るさ度合いに基づいて決定するように構成されている。調節モジュールは、画面コントラストに基づいて画面明るさ度合いを調節するように構成されている。
【００３０】
本開示は端末装置に関する。端末装置は、メモリと、プロセッサと、メモリに記憶されてプロセッサによって実行可能なコンピュータプログラムとを含む。プロセッサは、コンピュータプログラムを実行して、画面明るさ度合いを調節する上記の方法を実施するように構成されている。
【００３１】
本開示は、それ自体に記憶されるコンピュータプログラムを有する非一時的コンピュータ可読記憶媒体に関する。コンピュータプログラムがプロセッサで実行されるとき、画面明るさ度合いを調節する上記の方法が実施される。
【００３２】
青色光Ｂの一部がフィルタリングで除かれた後に画面明るさ度合いが低下することは背景技術での上記の検討から分かる。たとえば、端末装置の画面について、明るさ度合いＹとＲＧＢの割合との関係は、Ｙ＝０．２９９＊Ｒ＋０．５８７＊Ｇ＋０．１１４＊Ｂという式によって示される。この式に基づいて、青色光Ｂがフィルタリングで除かれる場合、明るさ度合いＹが低下することが容易に分かる。明るさ度合いがある程度低下すると、ユーザは鮮明に画面を見ることができない。
【００３３】
技術的課題を解決するために、本開示では、青色光フィルタリングおよび画面シャープネスを適切に処理することで、青色光がフィルタリングで除かれた後に画面の表示内容が鮮明であり、ユーザが正常に利用することが妨げられないことを保証する、画面明るさ度合いを調節する方法を提供する。
【００３４】
本開示において提供される画面明るさ度合いを調節する方法を実施の形態と関連づけて以下で説明する。本開示において提供される画面明るさ度合いを調節する方法の実施主体は、画面明るさ度合いを調節する装置である。画面明るさ度合いを調節する装置は携帯電話器、コンピュータ、ＰＡＤ（ポータブルアンドロイドデバイス）などの、画面を有する端末装置であってもよい。これらはニーズに応じて選択してもよい。
【００３５】
図１は本開示の一実施の形態に係る、画面明るさ度合いを調節する方法を示すフローチャートである。
【００３６】
図１に示されているように、方法は以下のブロックの動作を含む。
【００３７】
ブロックＳ１０１では、画面の色温度を調節することによってフィルタリングで除かれた青色光の比率を取得し、色温度を調節した後の第１の画面明るさ度合いを取得する。
【００３８】
詳細には、画面の色温度を調節した後の画面明るさ度合いの状況を取得するために、画面の色温度を調節することによってフィルタリングで除かれた青色光の比率を取得し、色温度を調節した後の第１の画面明るさ度合いを取得する。
【００３９】
画面の色温度を調節することによってフィルタリングで除かれた青色光の比率を異なる場面に基づいて異なる仕方で取得してもよいことに留意するべきである。以下の実施の形態では取得の仕方を示す。
【００４０】
１つ以上の実施の形態では、画面の色温度はＲＧＢの３色で構成されるので、青色光フィルタリング操作を行なうと画面の色構成が変化する場合があり、それに応じて画面の色温度が変化する場合がある。色温度の変化は対応する色の変化を直接反映する。本実施の形態では、色温度とフィルタリングで除かれた青色光の割合との対応づけを予め記憶してもよい。青色光フィルタリング操作を行なった後、上記の対応づけについて現在の色温度に基づいて問い合わせを行なって、フィルタリングで除かれた青色光の対応する割合を取得してもよい。
【００４１】
１つ以上の実施の形態において、実際に適用される際、端末装置では色温度調節スライダが設けられる。スライダの終端位置は、フィルタリングで除かれた青色光の現在の割合に対応する。たとえば、スライダの最も左の始端位置では、フィルタリングで除かれた青色光の対応する割合は１００％であり、スライダの最も右の終端位置では、フィルタリングで除かれた青色光の対応する割合は０である。したがって、本実施の形態では、図２に示されているように、画面の色温度が調節されたことを認識した後、スライダの現在の位置は最も左の位置に対してＬ１にあり、スライダの全長はＬであり、フィルタリングで除かれた青色光の割合は（Ｌ−Ｌ１）／Ｌである。
【００４２】
１つ以上の実施の形態では、画面の色温度を調節する前、ＲＧＢの３つの色成分（ｃｏｌｏｒ  ｃｏｍｐｏｎｅｎｔ）は同じであり、たとえば、すべて１である。画面の色温度を調節した後に現在の色温度の色構成を解析してもよく、解析して青色光の現在の成分（ｃｏｍｐｏｎｅｎｔ）がａであることが分かれば、フィルタリングで除かれた青色光の割合は１−ａである。
【００４３】
これに加えて、色温度を調節した後の第１の画面明るさ度合いを異なる場面に基づいて異なる仕方で取得してもよい。以下の実施の形態では取得の仕方を示す。
【００４４】
１つ以上の実施の形態では、第１の画面明るさ度合いを画面明るさ度合い式によって取得する。たとえば、画面明るさ度合いＹとＲＧＢの割合との関係は、Ｙ＝０．２９９＊Ｒ＋０．５８７＊Ｇ＋０．１１４＊Ｂという式によって示される。色温度を調節した後、Ｂの変化した比率を上記の式に代入して第１の画面明るさ度合いを取得する。
【００４５】
１つ以上の実施の形態では、画面の色温度を調節した後の画面の現在の第１の画面明るさ度合いを、関連する明るさ度合いセンサによって取得してもよい。
【００４６】
ブロックＳ１０２では、色温度を調節した後の画面コントラストを青色光の比率と第１の画面明るさ度合いとに基づいて決定する。
【００４７】
詳細には、画面コントラストは、明るい領域および暗い領域にある最も明るい白色と最も暗い黒色との間の異なる明るさ度合いレベルの測定値を指す。したがって、差の幅が広いほど、コントラストは大きい。所定の幅の状態において、コントラストを与えることによって画面シャープネスを容易に最適化してもよい。
【００４８】
たとえば、図３（ａ）に示されているように、画面明るさ度合いが高くないことが原因で、画面の現在の表示内容があまり鮮明でない場合がある。画面コントラストを増大した後、図３（ｂ）に示されているように、画面の表示内容を鮮明に際立たせることができると、コントラストは大きい。これにより、ユーザに対する鮮明な表示効果が実現する。
【００４９】
したがって、本実施の形態では、青色光がフィルタリングで除かれた後の画面明るさ度合い損失を補償するために、色温度を調節した後の画面コントラストを決定すれば、比較的高いコントラストを設定することによって画面シャープネスが改善される。
【００５０】
しかし、実際の操作の際、コントラストが高レベルまで増大する場合、これによって、電力の浪費、システムの処理負荷の増大などが生じる場合があり、また、コントラストが低レベルまで低下する場合、これによって、画面がまだ十分に鮮明でないようになる場合がある。したがって、本開示の実施の形態では、色温度を調節した後の画面の実際の現状に合致する画面コントラストを、フィルタリングで除かれた青色光の比率および第１の画面明るさ度合いに基づいて決定する。
【００５１】
当然、実際に適用される際、色温度を調節した後の画面コントラストを、フィルタリングで除かれた青色光の比率および第１の画面明るさ度合いに基づいて決定するのに、異なる場面に応じて異なる方法を用いてもよい。実施の形態は以下の通りである。
【００５２】
１つ以上の実施の形態では、フィルタリングで除かれた青色光の割合および第１の画面明るさ度合いと、画面コントラストとの対応づけにしたがって、予め設定されるアルゴリズムを予め設定する。
【００５３】
したがって、フィルタリングで除かれた青色光の割合および第１の画面明るさ度合いが、予め設定したアルゴリズムに基づいて計算されて、色温度を調節した後の画面コントラストが取得される。
【００５４】
１つ以上の実施の形態では、フィルタリングで除かれた青色光の異なる割合および第１の画面明るさ度合いが、異なる画面コントラストに対応するので、フィルタリングで除かれた青色光の割合および第１の画面明るさ度合いと、画面コントラストとの対応づけを含むコントラストデータベースが予め設定される。フィルタリングで除かれた青色光の割合にしたがって、色温度を調節した後の画面の色温度を取得し、予め設定したコントラストデータベースに対して問い合わせを行なって、画面の色温度および第１の画面明るさ度合いに対応する画面コントラストを取得する。
【００５５】
ブロックＳ１０３では、画面コントラストに基づいて画面明るさ度合いを調節する。
【００５６】
詳細には、決定された画面コントラストにしたがって画面明るさ度合いを調節することで、現在の画面が鮮明に表示され、見え方が改善される。
【００５７】
したがって、本開示において提供される、画面明るさ度合いを調節する方法により、青色光の一部がフィルタリングで除かれた後、画面視認性が前と変わらず良好であり、青色光がフィルタリングで除かれた後の明るさ度合い損失によって生じる画面シャープネスの変化を低減することができることが保証される。画面視認性およびシャープネスを失うことなく色温度が調節される。
【００５８】
本開示の実施の形態における、画面明るさ度合いを調節する方法を用いれば、画面の色温度を調節することによってフィルタリングで除かれた青色光の比率が取得されて、色温度を調節した後の第１の画面明るさ度合いが取得され、色温度を調節した後の画面コントラストが青色光の比率および第１の画面明るさ度合いに基づいて決定され、画面明るさ度合いが画面コントラストに基づいて調節される。したがって、画面コントラストを増大させることによって、画面視認性を向上させることができ、これにより、青色光をフィルタリングで除いた後の明るさ度合い損失によって生じる画面シャープネスの低下が避けられ、ユーザエクスペリエンスが向上する。
【００５９】
上記の実施の形態に基づけば、実際に操作する際、画面の色温度を調節する前に画面明るさ度合いが低い場合、青色光がフィルタリングで除かれた後には画面明るさ度合いがきわめて低くなって、画面を鮮明に視認することができなくなり、コントラストの増大も無駄になることを理解するべきである。したがって、画面の色温度を調節する前に、第一に画面明るさ度合いを確認してもよい。
【００６０】
図４は本開示の別の実施の形態に係る、画面明るさ度合いを調節する方法を示すフローチャートである。図４に示されているように、方法は以下のブロックの動作を含む。
【００６１】
ブロックＳ２０１では、色温度を調節する前の第２の画面明るさ度合いを取得する。
【００６２】
詳細には、第２の画面明るさ度合いは、色温度を調節する前の最初の画面明るさ度合いである。最初の画面明るさ度合いは、予め設定したアルゴリズムに基づいて、現在の周囲明るさ度合いの状態にある端末装置によって計算される。
【００６３】
ブロックＳ２０２では、第２の画面明るさ度合いが予め設定した最小画面明るさ度合いよりも小さいか否かを判定する。
【００６４】
最小画面明るさ度合いは大量の実験データに基づいて予め設定されていると考えることができる。最小画面明るさ度合いは、青色光がフィルタリングで除かれた後に画面明るさ度合いが低下するにもかかわらず、画面コントラストを増大させることによって画面シャープネスを向上させることができることを保証するものである。
【００６５】
詳細には、第２の画面明るさ度合いが予め設定した最小画面明るさ度合いよりも小さいか否かを判定して、現在の画面明るさ度合いの状態が青色光をフィルタリングで除くのに適しているか否かを判断する。
【００６６】
ブロックＳ２０３では、第２の画面明るさ度合いが予め設定した最小画面明るさ度合いよりも小さいとき、画面の色温度を調節することを禁止する。
【００６７】
詳細には、第２の画面明るさ度合いが最小画面明るさ度合いよりも小さい場合において、現在の画面明るさ度合いの状態に基づけば、青色光がフィルタリングで除かれるときに画面明るさ度合いは過度に低くなり、画面コントラストを調節しても画面シャープネスは大幅に改善することはできないことを示す。このとき、ユーザが画面を見ることになるようにして、画面の色温度を調節することを禁止する。
【００６８】
ブロックＳ２０４では、第２の画面明るさ度合いが予め設定した最小画面明るさ度合いよりも小さくないとき、画面の色温度を調節し、画面の色温度を調節することによってフィルタリングで除かれた青色光の比率を取得し、色温度を調節した後の第１の画面明るさ度合いを取得する。
【００６９】
詳細には、第２の画面明るさ度合いが最小画面明るさ度合いよりも小さくない場合、このことは、色温度を調節した後の画面コントラストを増大させることによって現在の画面明るさ度合いの状態において画面シャープネスを改善することができることを示し、こうすることで、色温度調節および画面シャープネスを適切に処理することができる。
【００７０】
ブロックＳ２０５では、第２の画面明るさ度合いと第１の画面明るさ度合いとの画面明るさ度合い差を計算する。
【００７１】
ブロックＳ２０６では、第２の画面明るさ度合いに対する画面明るさ度合い差の割合を計算する。
【００７２】
ブロックＳ２０７では、青色光の比率と、画面コントラストを取得するための割合との積を計算する。
【００７３】
ブロックＳ２０８では、画面コントラストに基づいて画面明るさ度合いを調節する。
【００７４】
詳細には、本実施の形態では、前述の予め設定したアルゴリズムの特定の計算方法を用意する。本実施の形態では、第２の画面明るさ度合いと第１の画面明るさ度合いとの差を計算して、色温度を調節した後の画面明るさ度合い差を取得する。
【００７５】
さらに、第２の画面明るさ度合いに対する画面明るさ度合い差の割合を計算する。さらに、青色光の割合をこの割合と掛け合わせて、この積を画面コントラストとみなす。したがって、画面コントラストにしたがって画面の表示が制御される。
【００７６】
当業者がより明確に本開示を理解するようにするために、以下、本開示の実施の形態において提供される、画面明るさ度合いを調節する方法の実施プロセスを所定の場面での実施の形態と組み合わせる。
【００７７】
図５に示されているように、色温度を調節する最小画面明るさ度合いを予め設定する。現在の画面明るさ度合いが予め設定した最小画面明るさ度合いよりも小さいか否かを判断する。現在の画面明るさ度合いが予め設定した最小画面明るさ度合いよりも小さい場合、画面明るさ度合いが低いので、色温度調節を行なわない。現在の画面明るさ度合いが予め設定した最小画面明るさ度合いよりも小さくない場合、第２の画面明るさ度合いＬを記録する。青色光の一部をフィルタリングで除いた後、画面明るさ度合いが変化し、画面明るさ度合い変化ΔＬと、このときにフィルタリングで除かれた青色光の割合とを記録する。画面明るさ度合い変化の割合はΔＬ／Ｌであり、画面コントラストはΔＬ／Ｌ×割合という式によって示される。この画面コントラストにしたがって画面の表示を調節する。
【００７８】
まとめると、本開示の実施の形態において提供される、画面明るさ度合いを調節する方法を用いれば、画面明るさ度合いが特定の度合いよりも大きいときに色温度調節が行なわれ、これにより、画面明るさ度合いが低いと、青色光をフィルタリングで除いた後、画面コントラストを改善しても、画面を鮮明に視認することが不可能であることが避けられ、さらにユーザエクスペリエンスが向上する。
【００７９】
上記の目的を達成するために、本開示では、画面明るさ度合いを調節する装置をさらに提供する。
【００８０】
図６は本開示の一実施の形態に係る、画面明るさ度合いを調節する装置を示すブロック図である。
【００８１】
図６に示されているように、装置は取得モジュール１００、決定モジュール２００および調節モジュール３００を含んでもよい。
【００８２】
取得モジュール１００は、画面の色温度を調節することによってフィルタリングで除かれた青色光の比率と、色温度を調節した後の第１の画面明るさ度合いとを取得するように構成されている。
【００８３】
決定モジュール２００は、色温度を調節した後の画面コントラストを青色光の比率および第１の画面明るさ度合いに基づいて決定するように構成されている。
【００８４】
本開示の一実施の形態では、決定モジュール２００は、青色光の比率および第１の画面明るさ度合いと予め設定したアルゴリズムとに基づいて計算を行なって、色温度を調節した後の画面コントラストを取得するように構成されている。
【００８５】
調節モジュール３００は、画面コントラストに基づいて画面明るさ度合いを調節するように構成されている。
【００８６】
画面明るさ度合いを調節する方法の前述の説明は本開示の実施の形態に係る、画面明るさ度合いを調節する装置にも適用可能である場合がある点に留意するべきである。双方の実施原理は同様であるので、ここでは重ねて詳細を説明することはしない。
【００８７】
まとめると、本開示の実施の形態における、画面明るさ度合いを調節する装置を用いれば、画面の色温度を調節することによってフィルタリングで除かれた青色光の比率が取得されて、色温度を調節した後の第１の画面明るさ度合いが取得され、色温度を調節した後の画面コントラストが青色光の比率および第１の画面明るさ度合いに基づいて決定され、画面明るさ度合いが画面コントラストに基づいて調節される。したがって、画面コントラストを増大させることによって、画面視認性を向上させることができ、これにより、青色光をフィルタリングで除いた後の明るさ度合い損失によって生じる画面シャープネスの低下が避けられ、ユーザエクスペリエンスが向上する。
【００８８】
図７は本開示の別の実施の形態に係る、画面明るさ度合いを調節する装置を示すブロック図である。図７に示されているように、図６に基づいて、装置は判定モジュール４００と処理モジュール５００とをさらに含む。
【００８９】
本実施の形態では、取得モジュール１００は、画面の色温度を調節することによってフィルタリングで除かれた青色光の比率を取得する前に、色温度を調節する前の第２の画面明るさ度合いを取得するようにさらに構成されている。
【００９０】
判定モジュール４００は、第２の画面明るさ度合いが予め設定した最小画面明るさ度合いよりも小さいか否かを判定するように構成されている。
【００９１】
処理モジュール５００は、第２の画面明るさ度合いが予め設定した最小画面明るさ度合いよりも小さいときに画面の色温度を調節することを禁止するように構成されている。
【００９２】
画面明るさ度合いを調節する方法の前述の説明は本開示の実施の形態に係る、画面明るさ度合いを調節する装置にも適用可能である場合がある点に留意するべきである。双方の実施原理は同様であるので、ここでは重ねて詳細を説明することはしない。
【００９３】
まとめると、本開示の実施の形態における、画面明るさ度合いを調節する装置を用いれば、画面明るさ度合いが特定の度合いよりも大きいときに色温度調節が行なわれ、これにより、画面明るさ度合いが低いと、青色光をフィルタリングで除いた後、画面コントラストを改善しても、画面を鮮明に視認することが不可能であることが避けられ、さらにユーザエクスペリエンスが向上する。
【００９４】
上記の実施の形態を実現するために、本開示では、端末装置をさらに提供する。図８は本開示の一実施の形態に係る端末装置を示すブロック図である。図８に示されているように、端末装置１０００はメモリ１１００と、プロセッサ１２００と、メモリ１１００に記憶されてプロセッサ１２００によって実行可能なコンピュータプログラム１３００とを含んでもよい。プロセッサ１２００は、コンピュータプログラム１３００を実行して、本開示の上記の実施の形態のいずれか１つに係る、画面明るさ度合いを調節する方法を実施するように構成されている。
【００９５】
まとめると、本開示の実施の形態における端末装置を用いれば、画面の色温度を調節することによってフィルタリングで除かれた青色光の比率が取得されて、色温度を調節した後の第１の画面明るさ度合いが取得され、色温度を調節した後の画面コントラストが青色光の比率および第１の画面明るさ度合いに基づいて決定され、画面明るさ度合いが画面コントラストに基づいて調節される。したがって、画面コントラストを増大させることによって、画面視認性を向上させることができ、これにより、青色光をフィルタリングで除いた後の明るさ度合い損失によって生じる画面シャープネスの低下が避けられ、ユーザエクスペリエンスが向上する。
【００９６】
上記の実施の形態を実現するために、本開示では、それ自体に記憶されるコンピュータプログラムを有する非一時的コンピュータ可読記憶媒体をさらに提供する。コンピュータプログラムがプロセッサによって実行されるとき、本開示の上記の実施の形態のいずれか１つに係る、画面明るさ度合いを調節する方法が実施される。
【００９７】
図９は本開示の一実施の形態に係る端末装置の内部構成の概略図である。図９を参照して、端末装置９００は高周波（ＲＦ）回路９１０、メモリ９２０、入力ユニット９３０、表示ユニット９４０、センサ９５０、音声回路９６０、ワイヤレス・フィディリティ（Ｗｉ−Ｆｉ（登録商標））モジュール９７０、プロセッサ９８０および電源９９０などを含む。図９に示されている端末装置９００の構成が端末装置の構成を限定しないことは当業者によって理解されるといえる。端末装置は、図９に示されている構成要素よりも多かったり少なかったりする構成要素を含んでもよいし、これらの組合せを含んでもよいし、構成要素の異なる配置を有してもよい。
【００９８】
ＲＦ回路９１０は、メッセージを送信したり受信したり、発呼したりするプロセスの際に、信号を受信したり送信したりするように構成してもよい。ＲＦ回路９１０は、基地局からダウンリンクデータを受信してダウンリンクデータをプロセッサ９８０に伝送するように構成してもよい。これの代わりに、ＲＦ回路９１０は、アップリンクデータを基地局に送信するように構成してもよい。一般的には、ＲＦ回路はアンテナ、少なくとも１つのアンプ、送受信器、カプラー、ローノイズアンプ（ＬＮＡ）、ダイプレクサなどを含むが、これらに限定されない。さらに、ＲＦ回路９１０は、無線通信およびネットワークを介して他のデバイスと通信するようにさらに構成してもよい。上記の無線通信には任意の通信規格またはプロトコルを用いてもよい。これは汎欧州デジタル移動電話方式（ｇｌｏｂａｌ  ｓｙｓｔｅｍ  ｏｆ  ｍｏｂｉｌｅ  ｃｏｍｍｕｎｉｃａｔｉｏｎ）（ＧＳＭ）、汎用パケット無線サービス（ＧＰＲＳ）、符号分割多元接続（ＣＤＭＡ）、広帯域符号分割多元接続（ＷＣＤＭＡ）、ロングタームエボリューション（ＬＴＥ）、電子メール、ショートメッセージサービス（ＳＭＳ）などを含むが、これらに限定されない。
【００９９】
メモリ９２０は、ソフトウェアプログラムやモジュールを記憶するように構成してもよい。プロセッサ９８０は、メモリ９２０に記憶されるソフトウェアプログラムおよびモジュールを実行することによって端末装置９００の様々な機能アプリケーションおよびデータプロセスを実行するように構成されている。メモリ９２０はプログラム記憶領域とデータ記憶領域とを主に含んでもよい。プログラム記憶領域は、オペレーションシステム、少なくとも１つの機能上必要なアプリケーション（音声再生機能を有するアプリケーション、画像再生機能を有するアプリケーションなど）などを記憶してもよい。データ記憶領域は、端末装置９００を用いて生成されるデータ（音声データ、アドレス帳など）などを記憶してもよい。これに加えて、メモリ９２０は高速ランダムアクセスメモリを含んでもよく、また、少なくとも１つのディスクメモリなどの不揮発性メモリ、フラッシュメモリまたは他の揮発性ソリッドステートメモリを含んでもよい。
【０１００】
入力ユニット９３０は、入力される図形情報や文字情報を受けて、ユーザセットアップに関連するキー信号入力を生成したり端末装置９００の機能制御を引き起こしたりするように構成してもよい。詳細には、入力ユニット９３０はタッチパネル９３１と他の入力デバイス９３２とを含んでもよい。タッチパネル９３１（タッチ画面とも称する）は、タッチパネル９３１の近傍でのタッチ操作やタッチパネル９３１上でのタッチ操作（指、スタイラスまたは他の適当な物もしくは付属品によるユーザのタッチパネル９３１上での操作やタッチパネル９３１の近傍での操作など）を集めて、予め設定したプログラムにしたがって、対応する接続デバイスを駆動するように構成してもよい。一実施の形態では、タッチパネル９３１はタッチ検出デバイスとタッチコントローラとを含んでもよい。タッチ検出デバイスはユーザのタッチの向きを検出し、タッチ操作によって生じる信号を検出し、タッチコントローラに信号を送る。タッチコントローラはタッチ検出デバイスに関するタッチ情報を受け、タッチ情報をタッチ箇所座標に変換し、タッチ箇所座標をプロセッサ９８０に送る。さらに、タッチコントローラはプロセッサ９８０から送られるコマンドを受けて実行することができる。タッチパネル９３１を抵抗型、静電容量型、赤外線型および表面弾性波型として実施してもよい。タッチパネル９３１に加えて、入力ユニット９３０は他の入力デバイス９３２をさらに含んでもよい。詳細には、他の入力デバイス９３２は物理キーボード、機能キー（ボリューム制御キー、スイッチキーなど）のうちの１つ以上を含んでもよいが、これらに限定されない。
【０１０１】
表示ユニット９４０は、ユーザによって入力される情報や、ユーザに提供される情報や、端末装置９００の様々なメニューを表示するように構成してもよい。表示ユニット９４０は表示パネル９４１を含んでもよい。一実施の形態では、表示パネル９４１は液晶ディスプレイ（ＬＣＤ）、有機発光ダイオード（ＯＬＥＤ）などとして構成してもよい。一実施の形態では、タッチパネル９３１は表示パネル９４１をカバーしてもよい。タッチパネル９３１がタッチパネル９３１上でのタッチ操作またはタッチパネル９３１の近傍でのタッチ操作を検出すると、タッチ操作はプロセッサ９８０に伝送されてタッチイベントのタイプが決定される。その後、プロセッサ９８０はタッチイベントのタイプにしたがって表示パネル９４１上に、対応する視覚的出力を提供する。タッチパネル９３１および表示パネル９４１は、図９に示されている端末装置９００の入出力機能を実現する２つの別々の構成要素であるが、いくつかの実施の形態では、タッチパネル９３１および表示パネル９４１を一体化して端末装置９００の入出力機能を実現してもよい。
【０１０２】
端末装置９００はジャイロスコープ、光学センサ、モーションセンサおよび他のセンサなどの少なくとも１つのセンサ９５０をさらに含んでもよい。詳細には、ジャイロスコープは端末装置９００の回転角速度を収集するように構成されている。光学センサは周囲光センサと近接センサとを含んでもよい。周囲光センサを用いることで、周囲光にしたがって表示パネル９４１の輝度（ｂｒｉｇｈｔｎｅｓｓ）を調節してもよい。近接センサを用いることで、端末装置９００がユーザの耳の近傍で動くときに表示パネル９４１および／またはバックライトを消してもよい。モーションセンサは、加速度センサを介して様々な方向の加速度値を測定し、端末装置９００が静止状態のときに重力の値および方向を測定し、端末装置９００の状態（横向き画面と縦向き画面との切り替えなど）、ジッター関連機能（万歩計、衝撃発生（ｋｎｏｃｋｉｎｇ）など）などを特定するために加速度センサを含んでもよい。さらに、気圧計、湿度計、温度計、赤外線センサおよび他のセンサを有する端末装置９００を構成してもよい。
【０１０３】
音声回路９６０、スピーカ９６１およびマイク９６２はユーザと端末装置９００との間の音声インタフェースを実現することができる。音声回路９６０は、受けた音声データから変換される電気信号をスピーカ９６１に伝送することができる。スピーカ９６１は電気信号を音信号に変換して音信号を出力する。別の態様では、マイク９６２は集められた音信号を電気信号に変換してもよい。音声回路９６０は電気信号を受けて音声データに変換し、音声データをプロセッサ９８０に出力して処理する。プロセッサ９８０によって処理された音声データを、ＲＦ回路９１０を介して別の端末装置に送信してもよいし、メモリ９２０に記憶してその後処理してもよい。
【０１０４】
Ｗｉ−Ｆｉは近距離無線通信技術である。ユーザがＷｉ−Ｆｉモジュール９７０を介して電子メールを受けたり送ったりし、ウェブページを検索し、ストリームメディアにアクセスするのを端末装置９００が支援してもよい。Ｗｉ−Ｆｉモジュール９７０は無線ブロードバンドインターネット接続を提供する。Ｗｉ−Ｆｉモジュール９７０が図９に示されているが、Ｗｉ−Ｆｉモジュール９７０は端末装置９００に必須ではなく、したがって、要求に応じて省略してもよいと解してもよい。
【０１０５】
プロセッサ９８０は端末装置９００の制御中心部であり、端末装置９００の様々な部分を接続するのに様々なインタフェースおよび配線を利用する。メモリ９２０に記憶されたソフトウェアプログラムおよび／またはモジュールを動作させ、すなわち実行し、メモリ９２０に記憶されたデータを呼び出すことによって、様々な機能およびデータ処理機能を実行してもよく、したがって、端末装置９００が統合的にモニタされる。一実施の形態では、プロセッサ９８０は１つ以上の処理ユニットを含んでもよい。一実施の形態では、プロセッサ９８０にアプリケーションプロセッサやモデムプロセッサを組み込んでもよい。アプリケーションプロセッサはオペレーションシステム、ユーザインタフェースおよびアプリケーションを主に処理する。モデムプロセッサは無線通信を主に処理する。上記のモデムコントローラをプロセッサ９８０に組み込まなくてもよいと解してもよい。
【０１０６】
端末装置９００は、端末装置の様々な部分に電力を提供する電源９９０（バッテリなど）をさらに含んでもよい。これの代わりに、電源を電力管理システムおよびプロセッサ９８０に論理的に接続することで、電力管理システムを介して充電、放電、電力消費を管理してもよい。
【０１０７】
一実施の形態では、端末装置９００は、カメラ、Ｂｌｕｅｔｏｏｔｈ（登録商標）モジュールなどをさらに含んでもよい。
【０１０８】
本開示の実施の形態では、端末装置に含まれるプロセッサ９８０を用いることで、メモリに記憶されたコンピュータプログラムを実行して上記の方法を実現してもよい。このことはここでは繰り返さない。
【０１０９】
本明細書にわたって「一実施の形態」、「いくつかの実施の形態」、「１つの実施の形態」、「別の例」、「一例」、「特定の例」または「いくつかの例」に言及することは、当該実施の形態または例に関連して説明される特定の特徴、構成、材料または特性が本開示の少なくとも１つの実施の形態または例に含まれることを意味する。したがって、本明細書にわたる様々な箇所での上記の語句の登場は、本開示の同じ実施の形態または例に必ずしも適用されない。さらに、１つ以上の実施の形態または例において特定の特徴、構成、材料または特性を任意の適切な手法で組み合わせてもよい。これに加えて、当業者は、互いに矛盾しなければ、本明細書で説明されている異なる実施の形態または例を組み合わせ、異なる実施の形態または例の特徴を組み合わせてもよい。
【０１１０】
「第１」および「第２」などの用語は本明細書では説明のために用いられており、相対的な重要度または意義を示したり示唆したり、技術的特徴の数を示唆したりすることを意図していない。さらに、「第１」または「第２」によって定義される特徴は、少なくとも１つの特徴を含むことを示したり示唆したりしてもよい。本開示の説明では、特に明記しない限り、「複数の」は２以上を指す。
【０１１１】
フローチャートで説明されていたり別様に本明細書で説明されていたりする任意のプロセスまたは方法は、プロセス中の特定の論理的機能または工程を実現する実行可能指示のコードの１つ以上のモジュール、セグメントまたは部分を含むと解することができる。また、本開示の好ましい実施の形態の範囲には他の実現例が含まれ、他の実現例では、図示されていたり説明されていたりする順序で機能を実行する代わりに、他の順序で実行してもよい（基本的に同時的に実行したり、逆の順序で実行したりすることを含む）。これは、当業者によって当然理解される。
【０１１２】
フローチャートで説明されていたり別様に本明細書で説明されていたりする任意のプロセスまたは方法が、論理的機能を実現する実行可能指示のシーケンステーブルであると解してもよい。これは、指示実行システム、デバイスまたは装置（たとえば、コンピュータを基礎とするシステムであって、指示実行システム、デバイスまたは装置から指示を読み込んで、指示を実行することができるプロセッサまたは他のシステムを含むシステム）によって用いられたり、指示実行システム、デバイスまたは装置と組み合わせて用いられたりする任意のコンピュータ可読媒体中で実現してもよい。本明細書では、「コンピュータ可読媒体」は、指示実行システム、デバイスまたは装置によって用いられたり、指示実行システム、デバイスまたは装置と組み合わせて用いられたりするプログラムを含んだり記憶したり伝えたり放送したり送信したりする任意のデバイスであってもよい。コンピュータ可読媒体の特定の例（網羅的でないリスト）は、１本または複数本の配線を有する電気接続物（端末装置）、ポータブルコンピュータディスクボックス（磁気デバイス）、ランダムアクセスメモリ（ＲＡＭ）、読出し専用メモリ（ＲＯＭ）、電気的プログラマブル読出し専用メモリ（ＥＰＲＯＭまたはフラッシュメモリ）、ファイバデバイスおよびポータブルＣＤ−ＲＯＭを含む。これに加えて、コンピュータ可読媒体は、プログラムを印刷可能な紙または他の適切な媒体であってさえもよい。これは、紙または他の媒体に対して光学スキャンを行なうことができ、その後、必要に応じて編集、判読または任意の他の適切な手法を実行してプログラムを電気的に取得した後、プログラムがコンピュータ記憶部に記憶されるからである。
【０１１３】
本開示の各部分をハードウェア、ソフトウェア、ファームウェアまたはこれらの組合せによって実現してもよいと当然解する。上記の実施の形態では、メモリに記憶されて適切な指示実行システムによって実行されるソフトウェアまたはファームウェアによって複数の工程または方法を実現してもよい。たとえば、ハードウェアによって実現される場合、別の実施の形態において同様に工程または方法を実現してもよく、本技術において知られている技術物、すなわち、データ信号の論理機能を実現する論理ゲート回路を有する別体の論理回路、適切な組合せ論理ゲート回路を有する専用集積回路、プログラマブルゲートアレイ（ＰＧＡ）、フィールドプログラマブルゲートアレイ（ＦＰＧＡ）などのうちの１つまたはこれらの組合せによって工程または方法を実現してもよい。
【０１１４】
プログラムを用いて関連ハードウェアに命令することによって本開示の上記例示方法の工程の全部または一部を実現してもよいと当業者が解することに疑いはない。プログラムをコンピュータ可読記憶媒体に記憶してもよく、プログラムは、コンピュータ上で実行される場合に本開示の方法実施の形態中の工程のうちの１つまたはこれらの組合せを含む。
【０１１５】
これに加えて、本開示の実施の形態の各機能セルを処理モジュールに組み込んでもよいし、これらのセルが別々の物理的存在であってもよいし、あるいは、２つ以上のセルを処理モジュールに組み込む。組み込みモジュールをハードウェアの形態で実現しても、ソフトウェア機能モジュールの形態で実現してもよい。組み込みモジュールをソフトウェア機能モジュールの形態で実現してスタンドアローン製品として販売したり使用したりする場合、組み込みモジュールをコンピュータ可読記憶媒体に記憶してもよい。
【０１１６】
上述の記憶媒体は読出し専用メモリ、磁気ディスクやＣＤなどであってもよい。説明上の実施の形態が示されて説明されているが、本開示が上記の実施の形態を限定すると解釈されることはないと当業者であれば考える。本開示の範囲を逸脱しない範囲で実施の形態において変形、代替および修正を行なうことができる。
【図１】
0006878601.tif 000002
【図２】
0006878601.tif 000003
【図３（ａ）】
0006878601.tif 000004
【図３（ｂ）】
0006878601.tif 000005
【図４】
0006878601.tif 000006
【図５】
0006878601.tif 000007
【図６】
0006878601.tif 000008
【図７】
0006878601.tif 000009
【図８】
0006878601.tif 000010
【図９】
0006878601.tif 000011